(57)【要約】      （修正有）【課題】特定周波数の電波輻射を抑えるとともに、グランド接続板と表示装置及びヒンジ部との接触安定性を確保する。【解決手段】機器本体に対してヒンジ部２を介して開閉方向に回動可能に支持される表示装置３と、表示装置の金属面３ｂ及びヒンジ部に接触して表示装置とヒンジ部とを電気的に導通させるグランド接続板１とを備える。グランド接続板は、ヒンジ部に接触して電気的に導通した状態でヒンジ部に固定されるヒンジ固定部１ｉと、金属面に押された状態で金属面に接触して電気的に導通する導通部１ｃ，ガスケット６が先端部に設けられ、金属面に導通部が押されることで弾性変形する弾性腕部１ａと、金属面の反対側で導通部に対向する位置にヒンジ固定部に電気的に導通して設けられ、導通部と曲げ部１ｅとの境部が金属面に押されて弾性腕部が弾性変形したとき、ガスケットが接触して電気的に導通する接触部１ｇとを有する。【選択図】図２
2013135406.tif 000002
【特許請求の範囲】
【請求項１】
機器本体と、
前記機器本体に対してヒンジ部を介して開閉方向に回動可能に支持される表示ユニットと、
前記表示ユニットの金属面及び前記ヒンジ部に接触して前記表示ユニットと前記ヒンジ部とを電気的に導通させる接触部材と、を備える電子機器であって、
前記接触部材は、
前記ヒンジ部に接触して電気的に導通した状態で前記ヒンジ部に固定されるヒンジ固定部と、
前記表示ユニットの前記金属面に押された状態で前記金属面に接触して電気的に導通する導通部が先端部に設けられ、前記金属面に前記導通部が押されることで弾性変形する弾性腕部と、
前記表示ユニットの前記金属面の反対側で前記導通部に対向する位置に、前記ヒンジ固定部に電気的に導通して設けられ、前記導通部が前記金属面に押されて前記弾性腕部が弾性変形したとき、前記導通部が接触して電気的に導通する接触部と、を有することを特徴とする電子機器。
【請求項２】
前記導通部は、前記弾性腕部の先端部に貼り付けられ、前記金属面に押されて前記弾性腕部が弾性変形したとき、前記接触部に圧縮した状態で接触する導電弾性部材を備えることを特徴とする請求項１に記載の電子機器。
【請求項３】
前記ヒンジ部は、前記機器本体に対して前記表示ユニットが開いた状態で前記表示ユニットを回転可能に支持する回転軸を有し、
前記接触部材は、前記ヒンジ固定部、前記弾性腕部、及び前記接触部が前記回転軸を中心として対をなして対称に配置されることを特徴とする請求項１または２に記載の電子機器。
【発明の詳細な説明】
【技術分野】
【０００１】
本発明は、デジタルカメラやデジタルビデオカメラ等の電子機器に関し、特に、機器本体に対してヒンジ部を介して開閉方向に回動可能に支持される表示ユニットを備える電子機器に関する。
【背景技術】
【０００２】
デジタルカメラやデジタルビデオカメラ等の電子機器として、機器本体に対してヒンジ部を介して開閉方向に回動可能に支持される表示ユニットを備えるものがある。
【０００３】
このような電子機器では、表示ユニットの金属部分とヒンジ部とにバネ性を有する接触片を接触させることで、表示ユニットを接触片及びヒンジ部を介して機器本体にグランド接続する技術が提案されている（特許文献１）。
【０００４】
また、他の従来例として、表示ユニットの金属部分とヒンジ部との隙間に表面に導電布を巻いた弾性材（以下、ガスケットという。）を詰め込むことで、表示ユニットを機器本体にグランド接続する技術が提案されている。
【先行技術文献】
【特許文献】
【０００５】
【特許文献１】特開２００６―１９００１２号公報
【発明の概要】
【発明が解決しようとする課題】
【０００６】
しかし、上記特許文献１では、接触片が弾性可能な変位量を超えて塑性変形するのを防止するため、接触片の基端側固定部からヒンジ部との接触部分までの長さを比較的長くする必要がある。このため、表示ユニットとヒンジ部との間の電気的導通経路が長くなり、この長さがアンテナとして機能して特定周波数の電波輻射を増大させる問題がある。
【０００７】
また、上記他の従来例では、表示ユニットの金属部分とヒンジ部との隙間にガスケットを詰め込む作業が難しく、表示ユニットの金属部分とヒンジ部とにガスケットを安定して接触させるために手間を要する。また、ガスケットを均一に圧縮させて表示ユニット及びヒンジ部との接触安定性を確保するために、表示ユニットとヒンジ部の組み込み順や組み込み方向が制限され、組立工数が増加する問題がある。
【０００８】
そこで、本発明は、表示ユニットとヒンジ部との電気的導通経路を短くして特定周波数の電波輻射を抑えるとともに、簡単な作業で接触部材と表示ユニット及びヒンジ部との接触安定性を確保する仕組みを提供することを目的とする。
【課題を解決するための手段】
【０００９】
上記目的を達成するために、本発明は、機器本体と、前記機器本体に対してヒンジ部を介して開閉方向に回動可能に支持される表示ユニットと、前記表示ユニットの金属面及び前記ヒンジ部に接触して前記表示ユニットと前記ヒンジ部とを電気的に導通させる接触部材と、を備える電子機器であって、前記接触部材は、前記ヒンジ部に接触して電気的に導通した状態で前記ヒンジ部に固定されるヒンジ固定部と、前記表示ユニットの前記金属面に押された状態で前記金属面に接触して電気的に導通する導通部が先端部に設けられ、前記金属面に前記導通部が押されることで弾性変形する弾性腕部と、前記表示ユニットの前記金属面の反対側で前記導通部に対向する位置に、前記ヒンジ固定部に電気的に導通して設けられ、前記導通部が前記金属面に押されて前記弾性腕部が弾性変形したとき、前記導通部が接触して電気的に導通する接触部と、を有することを特徴とする。
【発明の効果】
【００１０】
本発明によれば、表示ユニットとヒンジ部との電気的導通経路を短くして特定周波数の電波輻射を抑えることができるとともに、簡単な作業で接触部材と表示ユニット及びヒンジ部との接触安定性を確保することができる。
【図面の簡単な説明】
【００１１】
【図１】本発明の電子機器の第１の実施形態であるデジタルビデオカメラの外観斜視図である。
【図２】図１に示すデジタルビデオカメラの表示ユニットを構成する表示装置と２軸ヒンジ部との接続構造を示す平面図である。
【図３】（ａ）はグランド接続板の平面図、（ｂ）はグランド接続板の斜視図である。
【図４】第１カバーにグランド接続板を組み付けた状態を示す部分平面図である。
【図５】第１カバーに表示装置を組み付ける様子を示す側面図である。
【図６】図５の斜視図である。
【図７】第１カバーに表示装置を組み付けた状態を示す部分平面図である。
【図８】第１カバーに２軸ヒンジ部を組み付ける様子を示す斜視図である。
【図９】第１カバーに２軸ヒンジ部を組み付けた状態を示す斜視図である。
【図１０】第１カバーに回路基板及び２軸ヒンジ部を組み付けた状態を示す部分平面図である。
【図１１】第１カバーに第２カバーを組み付けた状態を示す斜視図である。
【図１２】（ａ）は本発明の電子機器の第２の実施形態であるデジタルビデオカメラにおけるグランド接続板の平面図、（ｂ）はグランド接続板の斜視図である
【図１３】（ａ）は第１カバーにグランド接続板を組み付けた状態を示す部分平面図、（ｂ）は第１カバーに表示装置を組み付けた状態を示す部分平面図である。
【図１４】第１カバーに回路基板及び２軸ヒンジ部を組み付けた状態を示す部分平面図である。
【発明を実施するための形態】
【００１２】
以下、本発明の実施形態を図面を参照して説明する。
【００１３】
（第１の実施形態）
図１は本発明の電子機器の第１の実施形態であるデジタルビデオカメラの外観斜視図、図２は図１に示すデジタルビデオカメラの表示ユニットを構成する表示装置と２軸ヒンジ部との接続構造を示す平面図である。
【００１４】
図１及び図２に示すように、本実施形態のデジタルビデオカメラは、カメラ本体３１に表示ユニット３０が２軸ヒンジ部２を介して開閉方向に回動可能、かつ開状態で回転可能に支持されている。表示ユニット３０は、ＬＣＤ等の表示装置３を有し、表示装置３の周囲は第１カバー２２で覆われ、表示装置３の裏面側は、第２カバー２３で覆われている。
【００１５】
２軸ヒンジ部２は、図２に示すように、カメラ本体３１に固定される固定部２ａ，２ｂと、表示ユニット３０をカメラ本体３１に対して開閉方向に回動可能に支持する開閉軸２ｃ，２ｄとを有する。また、２軸ヒンジヌ部２は、表示ユニット３０を開状態で回転可能に支持する回転軸２ｅ（破線部）を有する。ここで、カメラ本体３１は、本発明の機器本体の一例に相当する。
【００１６】
表示ユニット３０の表示装置３の側面３ｂは、金属面とされており、表示装置３の側面３ｂと２軸ヒンジ部２とにグランド接続板１を接触させることで、表示ユニット３０の表示装置３がカメラ本体３１にグランド接続される。ここで、グランド接続板１は、本発明の接触部材の一例に相当する。
【００１７】
図３（ａ）はグランド接続板１の平面図、図３（ｂ）はグランド接続板１の斜視図である。
【００１８】
図３に示すように、グランド接続板１は、互いに離間する方向に延びて先端部が表示装置３の側面３ｂに次第に接近するように傾斜する一対の弾性腕部１ａ，１ｂを備える。一対の弾性腕部１ａ，１ｂは、２軸ヒンジ部２の回転軸２ｅを中心に互いに対称配置されている。
【００１９】
弾性腕部１ａ，１ｂの先端部には、導通部１ｃ，１ｄが弾性腕部１ａ，１ｂに対して表示装置３の側面３ｂ側に傾斜して設けられている。
【００２０】
そして、導通部１ｃ，１ｄの表示装置３から離反する側の面には、表面が導電布で形成されたガスケット６，７が導電性両面テープを介して貼り付けられる。ここで、ガスケット６，７は、本発明の導電弾性部材の一例に相当する。
【００２１】
導通部１ｃ，１ｄの先端部には、表示装置３の反対側に略直角に曲げられた曲げ部１ｅ，１ｆが設けられ、曲げ部１ｅ，１ｆにガスケット６，７の側面を突き当てることで、ガスケット６，７の貼り付け位置の位置決めを行う。
【００２２】
また、曲げ部１ｅ，１ｆとガスケット６，７の表面の導電布を直接接触させることで、接触時の電気抵抗の低減と接触安定性を高めている。
【００２３】
また、グランド接続板１には、導通部１ｃ，１ｄに貼り付けられたガスケット６，７に対向する位置に設けられる接触部１ｇ，１ｈと、２軸ヒンジ部２に接触して電気的に導通した状態で２軸ヒンジ部２に固定されるヒンジ固定部１ｉ，１ｊとが設けられる。さらに、グランド接続板１には、第１カバー２２の位置決め軸２２ａ、及びビス穴２２ｂに対応する位置に位置決め穴１ｋ、及びビス挿通穴１ｍが形成されている。
【００２４】
そして、図４に示すように、グランド接続板１の位置決め穴１ｋを第１カバー２２の位置決め軸２２ａに嵌め込むことで、第１カバー２２にグランド接続板１を取り付ける。この状態では、第１カバー２２の位置決め軸２２ａはグランド接続板１から突出しており、また、第１カバー２２のビス穴２２ｂにはグランド接続板１のビス挿通穴１ｍが配置される。
【００２５】
図５は第１カバー２２に表示装置３を組み付ける様子を示す側面図、図６は図５の斜視図、図７は第１カバー２２に表示装置３を組み付けた状態を示す部分平面図である。
【００２６】
図５及び図６に示す様に、表示装置３は、側面３ｂでグランド接続板１の導通部１ｃ，１ｄと曲げ部１ｅ，１ｆとの境部を押して弾性腕部１ａ，１ｂを弾性変形させた状態で第１カバー２２のストッパー壁２２ｃ，２２ｄの内側に落とし込まれる。これにより、表示装置３が第１カバー２２に組み付けられる。
【００２７】
かかる組付状態においては、表示装置３の側面（金属面）３ｂがグランド接続板１の導通部１ｃ，１ｄと曲げ部１ｅ，１ｆとの境部に接触するとともに、ガスケット６，７が圧縮された状態で接触部１ｇ，１ｈに接触する。
【００２８】
これにより、表示装置３が導通部１ｃ，１ｄ、及びガスケット６，７を介して接触部１ｇ，１ｈに短い経路で導通する。また、表示装置３は、弾性腕部１ａ，１ｂの弾性力によって第１カバー２２のストッパー壁２２ｃ，２２ｄ側に付勢されて位置決めされる。さらに、グランド接続板１の接触部１ｇ，１ｈがガスケット６，７を曲げ部１ｅ，１ｆの方向に斜めに押すため、ガスケット６，７に曲げ部１ｅ，１ｆに確実に接触する。
【００２９】
図８は第１カバー２２に２軸ヒンジ部２を組み付ける様子を示す斜視図、図９は第１カバー２２に２軸ヒンジ部２を組み付けた状態を示す斜視図、図１０は第１カバー２２に回路基板４及び２軸ヒンジ部２を組み付けた状態を示す部分平面図である。
【００３０】
図８から図１０に示すように、第１カバー２２の位置決め軸２２ａには、表示装置３を制御する回路基板４の切欠きが嵌め込まれて位置決めされている。
【００３１】
そして、この状態で、回路基板４のビス挿通穴（不図示）、及びグランド接続板１のビス挿通穴１ｍに挿入したビス２６，２７を第１カバー２２のビス穴２２ｂに締結することで、第１カバー２２にグランド接続板１及び回路基板４が固定される。回路基板４には、コネクタ２１及び２５が実装され、コネクタ２１には、表示装置３側のフレキシブル基板３ａが接続される。
【００３２】
また、２軸ヒンジ部２は、図９及び図１０に示すように、第１カバー２２に組み付けられたグランド接続板１のヒンジ固定部１ｉ，１ｊと表示装置３との間に挿入されて組み付けられる。そして、２軸ヒンジ部２の回転軸２ｅに巻き付けられたカメラ本体３１側のフレキシブル基板２４が回路基板４に実装されたコネクタ２５に接続される。
【００３３】
図１１は、第１カバー２２に第２カバー２３を組み付けた状態を示す斜視図である。図１１に示すように、第２カバー２３は、第１カバー２２に対して外側から嵌め込まれた状態で２軸ヒンジ部２側の側面から挿入したビス２８，２９により第１カバー２２に固定される。
【００３４】
ビス２８，２９は、第２カバー２３の側面に形成したビス挿通穴、第１カバー２２の側面に形成したビス挿通穴、及びグランド接続板１のヒンジ固定部１ｉ，１ｊに形成したビス挿通穴を挿通した後、２軸ヒンジ部２に形成したビス穴（不図示）に締結される。
【００３５】
かかる締結状態においては、２軸ヒンジ部２にグランド接続板１のヒンジ固定部１ｉ，１ｊが接触した状態で、２軸ヒンジ部２、グランド接続板１、第１カバー２２、及び第２カバー２３が一体に固定される。
【００３６】
これにより、表示装置３がグランド接続板１、及び２軸ヒンジ部２を介してカメラ本体３１にグランド接続される。この場合の表示装置３と２軸ヒンジ部２との電気的接続経路は、グランド接続板１の弾性腕部１ａ，１ｂの長さ分を経由しないため、短い経路となり、長尺な弾性腕部１ａ，１ｂがアンテナとして機能するのを回避することができる。
【００３７】
以上説明したように、本実施形態では、表示装置３と２軸ヒンジ部２との電気的導通経路を短くすることができるので、特定周波数の電波輻射を抑えることができる。また、簡単な作業でグランド接続板１と表示装置３及び２軸ヒンジ部２との接触安定性を確保することができる。
【００３８】
また、本実施形態では、ガスケット６，７をグランド接続板１の導通部１ｃ，１ｄと接触部１ｇ，１ｈの間で圧縮させており、表示装置３や２軸ヒンジ部２は組立て時にガスケット６，７を直接圧縮させていないため、ガスケット６，７の接触安定性を確保しやすい。
【００３９】
さらに、本実施形態では、表示装置３及び２軸ヒンジ部２の組み付けの際には、ガスケット６，７を圧縮させるための組付スペースを確保する必要がなく、したがって、無駄なスペースが不要となり、表示ユニット３０の小型化が可能となる。
【００４０】
（第２の実施形態）
次に、図１２〜図１４を参照して、本発明の電子機器の第２の実施形態であるデジタルビデオカメラについて説明する。なお、本実施形態は、上記第１の実施形態に対してグランド接続板のみが相違するだけであるため、相違点についてのみ説明する。また、上記第１の実施形態に対して重複又は相当する部分については、各図に同一符号を付してその説明を省略する。
【００４１】
図１２（ａ）はグランド接続板１Ａの平面図、図１２（ｂ）はグランド接続板１Ａの斜視図である。図１３（ａ）は第１カバー２２にグランド接続板１Ａを組み付けた状態を示す部分平面図、図１３（ｂ）は第１カバー２２に表示装置３を組み付けた状態を示す部分平面図である。
【００４２】
本実施形態のデジタルカメラは、表示装置３の側面（金属面）３ｂと２軸ヒンジ部２とにグランド接続板１Ａを接触させることで、表示ユニット３０の表示装置３がカメラ本体３１にグランド接続される。
【００４３】
グランド接続板１Ａは、図１２（ａ）及び図１２（ｂ）に示すように、弾性腕部１ａ，１ｂの先端部に、傾斜部４０ａ，４０ｂが弾性腕部１ａ，１ｂに対して表示装置３の側面３ｂ側に傾斜して設けられている。
【００４４】
傾斜部４０ａ，４０ｂの先端部には、表示装置３の反対側に略直角に曲げられた後、傾斜部４０ａ，４０ｂと対向する方向に曲げられて、傾斜部４０ａ，４０ｂから次第に離れる方向に傾斜する曲げ部４０ｅ，４０ｆが設けられている。
【００４５】
曲げ部４０ｅ，４０ｆの先端には、傾斜部４０ａ，４０ｂに次第に接近する方向に傾斜する導通部４０ｃ，４０ｄが設けられ、導通部４０ｃ，４０ｄに対向する位置に、接触部１ｇ，１ｈが配置される。
【００４６】
そして、図１３（ａ）に示すように、グランド接続板１Ａの位置決め穴１ｋを第１カバー２２の位置決め軸２２ａに嵌め込むことで、第１カバー２２にグランド接続板１Ａを取り付ける。
【００４７】
また、図１３（ｂ）に示すように、表示装置３は、側面３ｂでグランド接続板１Ａの接触部４０ａ，４０ｂと曲げ部４０ｅ，４０ｆとの境部を押して弾性腕部１ａ，１ｂを弾性変形させた状態で第１カバー２２のストッパー壁２２ｃ，２２ｄの内側に落とし込まれる。これにより、表示装置３が第１カバー２２に組み付けられる。
【００４８】
かかる組付状態においては、表示装置３の側面（金属面）３ｂがグランド接続板１Ａの接触部４０ａ，４０ｂと曲げ部４０ｅ，４０ｆとの境部に接触すると共に、曲げ部４０ｅ，４０ｆが弾性変形して導通部４０ｃ，４０ｄが接触部１ｇ，１ｈに密着状態で接触する。
【００４９】
これにより、表示装置３が曲げ部４０ｅ，４０ｆ及び導通部４０ｃ，４０ｄを介して接触部１ｇ，１ｈに短い経路で導通する。
【００５０】
図１４は、第１カバー２２に回路基板４及び２軸ヒンジ部２を組み付けた状態を示す部分平面図である。
【００５１】
図１４に示すように、上記第１の実施形態と同様にして、第１カバー２２に回路基板４及び２軸ヒンジ部２を組み付けてコネクタ２１及び２５にフレキシブル基板３ａ及び２４を接続した後、第１カバー２２に第２カバー２３を組み付けてビス２８，２９で締結する。
【００５２】
かかる締結状態においては、２軸ヒンジ部２にグランド接続板１Ａのヒンジ固定部１ｉ，１ｊが接触した状態で、２軸ヒンジ部２、グランド接続板１Ａ、第１カバー２２、及び第２カバー２３が一体に固定される。
【００５３】
これにより、表示装置３がグランド接続板１Ａ、及び２軸ヒンジ部２を介してカメラ本体３１にグランド接続される。この場合の表示装置３と２軸ヒンジ部２との電気的接続経路は、グランド接続板１Ａの弾性腕部１ａ，１ｂの長さ分を経由しないため、短い経路となり、長尺な弾性腕部１ａ，１ｂがアンテナとして機能するのを回避することができる。
【００５４】
以上説明したように、本実施形態では、上記第１の実施形態のように、ガスケット６，７を使用しないため、部品点数の削減、及びガスケット６、７の貼り付け作業工数の削減が可能となる。その他の構成、及び作用効果は、上記第１の実施形態と同様である。
【００５５】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００５６】
１  グランド接続板
１ａ，１ｂ  弾性腕部
１ｃ，１ｄ  導通部
１ｅ，１ｆ  曲げ部
１ｇ，１ｈ  接触部
１ｉ，１ｊ  ヒンジ固定部
２  ２軸ヒンジ部
３  表示装置
６，７  ガスケット
３０  表示ユニット
３１  カメラ本体
【図１】
2013135406.tif 000003
【図２】
2013135406.tif 000004
【図３】
2013135406.tif 000005
【図４】
2013135406.tif 000006
【図５】
2013135406.tif 000007
【図６】
2013135406.tif 000008
【図７】
2013135406.tif 000009
【図８】
2013135406.tif 000010
【図９】
2013135406.tif 000011
【図１０】
2013135406.tif 000012
【図１１】
2013135406.tif 000013
【図１２】
2013135406.tif 000014
【図１３】
2013135406.tif 000015
【図１４】
2013135406.tif 000016